(57)【特許請求の範囲】
【請求項１】
浴槽の外壁に、外方に突出し且つ当該浴槽に一体成形された複数の突条を設け、
各突条は粘着テープが貼着される被貼着部を備え、
前記被貼着部は、
一の前記突条の側面の先端部分に設けられた第一貼着部と、
前記第一被貼着部とは反対の側面側に隣接する他の突条に設けられた第二被貼着部とを有しており、
第一被貼着部と第二被貼着部との間に粘着テープを張設して、該突条と粘着テープと浴槽の外壁とで密閉された空気層を設けて成る
ことを特徴とする浴槽保温構造。
【発明の詳細な説明】
【技術分野】
【０００１】
本発明は、浴槽の保温構造に関するものである。
【背景技術】
【０００２】
従来から、浴槽の浴湯の湯温を保温するための浴槽保温構造として、例えば特許文献１が知られている。従来の浴槽保温構造は、ビーズ法ポリスチレンフォーム（Expanded Poly-Styrene；以下、ＥＰＳという）を用いた断熱保温材で浴槽の外壁を囲むようにして設置することで、浴槽内に貯湯された浴湯の湯温を保温するものであった。
【０００３】
ところで、このＥＰＳの断熱保温材を浴槽に配設するにあたっては、原料となる微小粒子のビーズを予備発泡させた粒状の予備発泡粒子を、金型に充填・加熱して成形する必要があるため、浴槽の外壁の形状に合わせて製作された金型によって断熱保温材を成形する必要がある。しかも、浴槽の形状には様々な種類があるため、それに応じた種々の金型が必要となる。しかしながら、この金型の製作には多大な費用がかかるため、金型製作の費用が負担となってしまうという問題を有していた。
【０００４】
一方、このＥＰＳを使用した断熱保温材によらない浴槽保温構造として、発泡ポリエチレンシートで断熱材を浴槽の外壁に貼着して、浴槽に貯湯された浴湯の保温を図るものが知られている（例えば特許文献２参照）。このものは、成形時に金型を使用しないものであるが、取付けに手間がかかるため多くの取付工数が必要となり、生産性に劣るものであった。
【特許文献１】特開２００６−１１０１９９号公報
【特許文献２】特開２００２−２１９０６６号公報
【発明の開示】
【発明が解決しようとする課題】
【０００５】
本発明は、上記従来の問題に鑑みてなされたものであり、その目的とするところは、浴槽の保温施工に際して金型を使用せず、且つ簡単な作業で取付けができる浴槽保温構造を提供することにある。
【課題を解決するための手段】
【０００６】
上記課題を解決するために請求項１に係る発明にあっては、浴槽の外壁に外方に突出し且つ当該浴槽に一体成形された複数の突条１を設け、各突条１は粘着テープ２が貼着される被貼着部３を備え、前記被貼着部３は、一の前記突条１の側面の先端部分に設けられた第一貼着部３ａと、前記第一被貼着部３ａとは反対の側面側に隣接する他の突条１に設けられた第二被貼着部３ｂとを有しており、第一被貼着部３ａと第二被貼着部３ｂとの間に粘着テープ２を張設して、該突条１と粘着テープ２と浴槽の外壁とで密閉された空気層４を設けて成ることを特徴とするものである。
【０００７】
このように構成したことで、浴槽に備えられた各突条１間を粘着テープ２によって張設するという簡単且つ単純な作業を浴槽に施すだけで効果的な保温効果を得ることができるという利点を有する。
【発明の効果】
【０００８】
本発明によれば、浴槽に粘着テープを貼着するだけという簡単且つ単純な作業で効果的な保温効果が得られるから、取り付け作業に伴う取付工数を減らすことができると共に、保温性能を付与した浴槽の生産性を向上させることができる。しかも、様々な形状の浴槽に対応できるものである。
【発明を実施するための最良の形態】
【０００９】
以下、本発明について添付図面に基づいて説明する。
【００１０】
図１及び図２に示すように、本発明の一例の本実施形態の浴槽は、外壁としての底面及び側壁を有する椀状の本体部５の開口部縁辺から外方に向けて平面視略矩形状のフランジ部６が突設されており、該フランジ部６の先端からは下方に向けて縦片７が連出されている。本体部５の側壁の外面全周には、上下方向の全長に亘って（即ち、本体部５の側壁の下端からフランジ部６の下面に至るように）突条１が外方に向けて所定のピッチで突設されている。各突条１の突出長さは略同等の長さにて形成されており、浴槽の成形時に一体に成形されている。なお、図中の８は、据付用の脚である。
【００１１】
浴槽には、浴湯の湯温の保温性を高める保温手段が施される。本実施形態の保温手段は、突条１の一方の側面の先端側を、粘着テープ２が貼着される被貼着部３としての第一被貼着部３ａとすると共に、他方の側面側の隣接する突条１の先端面を第二被貼着部３ｂとする。そして、粘着テープ２の一端の先端を第一被貼着部３ａを備える突条１の基部に臨ませるようにして第一被貼着部３ａに貼着すると共に、他端を第二被貼着部３ｂに貼着して、隣接する突条１間を粘着テープ２によって張設する。さらに、上下に連続する突条１の上下方向全長に亘って順に同様の作業を繰り返して行ない、粘着テープ２を張設された突条１と粘着テープ２と浴槽の側壁によって形成される上下方向の端部に現れる開口部位においても粘着テープ２によって閉塞するように張設し（本実施形態においては、上端の開口部位はフランジ部６下面によって閉塞されているため下端の開口部位のみ粘着テープ２にて閉塞している）、該空間を略密閉状態にする。
【００１２】
上記の様に隣接する突条１間を粘着テープ２で張設するが、隣接する突条１間において順に該作業を行ない、浴槽の全周に亘って該作業を実施する。
【００１３】
このようにすることで、突条１と粘着テープ２と浴槽の側壁とで密閉された空間は空気層４を形成し、この浴槽の側壁全周に亘って形成された空気層４は断熱層としての役割を果たす。即ち、浴槽に貯湯された浴湯は、効果的な保温効果が及ぼされることになる。
【００１４】
このような構成によれば、粘着テープ２を貼着するという簡単且つ単純な作業を浴槽に設置された突条１間に施すだけで効果的な保温効果を得ることができる。更に、従来では様々な浴槽の形状に応じて種々の金型を製作する必要があったが、上記実施形態によれば、それらの金型の製作が不要であり、よりコストの低減を可能とする。
【００１５】
なお、本実施形態の第一被貼着部３ａと第二被貼着部３ｂとは隣接する突条１に設けているが、第一被貼着部３ａと第二被貼着部３ｂとの間に複数の突条１を介在させてもよく、要するに、一つの連続した粘着テープ２によって浴槽の側壁を囲むように張設しても良いし、複数に分割した長さの粘着テープ２を使用しても良く、特に限定されない。
【００１６】
次に、他の実施形態について図３に基づいて説明する。なお、本実施形態は図１及び図２に示す実施形態と大部分において同じであるため、同じ部分においては同符号を付して説明を省略し、主に異なる部分について説明する。
【００１７】
本実施形態の浴槽は、図３に示すように、浴槽の対向する側壁間の距離が上方に位置するに従って広がるように傾斜を有している。この傾斜を有する浴槽の側壁の外周面には突条１が設置される。この浴槽に突設される突条１は、浴槽の側壁の全周に亘って連出され且つ略鉛直下向きに向けて突出して設置される。さらに、該突条１は上から第一突条１１、第二突条１２、第三突条・・・といったように浴槽の側壁の外周に略同じ形状の突条１が複数箇所に並設される。本実施形態の突条１は、第一突条１１の先端面と略同じ高さに第二突条１２の基部が位置するように形成され、第二突条１２の先端面と略同じ高さに第三突条の基部が位置するように形成され、以下同じ様に第六突条まで設置される。さらに、浴槽の底面の裏面にも底面突条１３が略同じ長さで突設されて且つ所定のピッチにて設置されている。
【００１８】
このように形成された浴槽において、保温手段が施される。前記第一突条１１の外方側の面（即ち、本体部５の側壁と対向する面とは反対側の面）の先端側を第一被貼着部３ａとすると共に、第二突条１２の外方の面であって浴槽の側壁からの突出基部を第二被貼着部３ｂとする。そして、粘着テープ２の一端の先端を第一突条１１の突出基部に臨ませるようにして、粘着テープ２の該一端を第一被貼着部３ａに貼着すると共に、第二被貼着部３ｂに粘着テープ２の他端を貼着して張設する。さらに、全周に亘って連続して連出される突条１の全周に亘って順に同様の作業を繰り返し行なう。底面突条１３においては、各底面突条１３の先端を被貼着部３として各被貼着部３間に粘着テープ２を張設し、且つ底面突条１３の両端に現れる開口部位においても粘着テープ２を閉塞するように張設して、浴槽の底面の裏面にも密閉された空気層４を形成する。
【００１９】
このようにして、突条１と粘着テープ２と浴槽の外壁とで密閉された空間は空気層４を形成し、この浴槽の外壁の全面に亘って形成された空気層４は、上記実施形態と同様に断熱層としての役割を果たす。
【００２０】
なお、粘着テープ２の長手方向の辺を突条１の先端に沿うようにして第一被貼着部３ａに貼着し、他方を第二被貼着部３ｂに貼着するようにして、浴槽の側壁の外周を連続した粘着テープ２によって張設してもよい。このようにすれば、さらに簡単に粘着テープ２を張設することができるという利点を有する。
【００２１】
上述した二つの実施形態の突条１は所定のピッチで突設されているが、このピッチは特に限定されるものではなく、さらに、突条１の突設される間隔は特に等間隔である必要もない。また、各突条１に備える被貼着部３の部位は本実施形態に限定されるものではなく、空気層４が形成されるようにすれば、浴槽の形状に伴った種々の設計変更が可能である。
【図面の簡単な説明】
【００２２】
【図１】本発明の一例の実施形態の要部断面図である。
【図２】同上の浴槽の要部斜視図である。
【図３】他の実施形態の要部側断面図である。
【符号の説明】
【００２３】
１      突条
１１    第一突条
１２    第二突条
１３    底面突条
２      粘着テープ
３      被貼着部
３ａ    第一被貼着部
３ｂ    第二被貼着部
４      空気層
５      本体部
６      フランジ部
７      縦片
【図１】
0004877270.tif 000002
【図２】
0004877270.tif 000003
【図３】
0004877270.tif 000004